(57)【要約】  消費電力の増大を伴うことなく良好な撮影状態を確保する。  駆動電流が供給されるコイルとコイルへの通電に伴って回転されるマグネットとを有する磁気駆動部と、被ロック部を有し磁気駆動部によって動作される駆動体と、駆動体の動作により開口を開閉する開閉羽根と、被ロック部に対する係合により開閉羽根のロック状態を設定するロック部とを備え、マグネットの回転位置に応じてロック状態の設定とロック状態の解除が行われる。これにより、マグネットの回転位置に応じてロック部が被ロック部に係合されてロック状態の設定とロック状態の解除が行われ、マグネットの磁力によって開閉羽根に対するロックが行われないため、消費電力の増大を伴うことなく良好な撮影状態を確保することができる。
2017104265.tif 000002
【特許請求の範囲】
【請求項１】
駆動電流が供給されるコイルと前記コイルへの通電に伴って回転されるマグネットとを有する磁気駆動部と、
被ロック部を有し前記磁気駆動部によって動作される駆動体と、
前記駆動体の動作により開口を開閉する開閉羽根と、
前記被ロック部に対する係合により前記開閉羽根のロック状態を設定するロック部とを備え、
前記マグネットの回転位置に応じて前記ロック状態の設定と前記ロック状態の解除が行われる
羽根開閉装置。
【請求項２】
前記ロック部が前記マグネットの回転に伴う磁力の変化に応じて前記ロック状態を設定するロック位置と前記ロック状態を解除する非ロック位置との間で移動される
請求項１に記載の羽根開閉装置。
【請求項３】
前記磁気駆動部に固定ヨークと可動ヨークが設けられ、
前記可動ヨークの動作によって前記ロック部が前記ロック位置と前記非ロック位置との間で移動される
請求項２に記載の羽根開閉装置。
【請求項４】
前記ロック部として回動可能なロックレバーが設けられ、
前記ロックレバーを前記ロック位置から前記非ロック位置まで回動させる回動可能な作用レバーが設けられ、
前記ロックレバーの回動軸と前記作用レバーの回動軸とが一致された
請求項２に記載の羽根開閉装置。
【請求項５】
前記駆動体が回転可能にされ、
前記マグネットの回転軸と前記駆動体の回転軸とが一致された
請求項１に記載の羽根開閉装置。
【請求項６】
前記駆動体が前記マグネットに固定された
請求項５に記載の羽根開閉装置。
【請求項７】
前記開閉羽根が前記開口を開放する開放位置と前記開口を閉塞する閉塞位置との間で移動され、
前記開放位置と前記閉塞位置においてそれぞれ前記ロック状態が設定される
請求項１に記載の羽根開閉装置。
【請求項８】
前記被ロック部に前記開放位置において前記ロック部が係合される第１の係合部と前記閉塞位置において前記ロック部が係合される第２の係合部とが形成された
請求項７に記載の羽根開閉装置。
【請求項９】
前記駆動体には前記開閉羽根に連結された駆動レバーが設けられ、
前記駆動レバーに前記被ロック部が設けられた
請求項８に記載の羽根開閉装置。
【請求項１０】
前記駆動レバーに前記被ロック部として機能する係合片部が設けられ、
前記係合片部の両縁がそれぞれ前記第１の係合部と前記第２の係合部として形成された
請求項９に記載の羽根開閉装置。
【請求項１１】
前記駆動体に対して前記駆動体の動作方向への付勢力を付与する動力補助バネが設けられた
請求項１に記載の羽根開閉装置。
【請求項１２】
前記ロック部を動作させるアクチュエーターが設けられた
請求項１に記載の羽根開閉装置。
【請求項１３】
前記コイルへの通電によって前記ロック部に対して付与される駆動力を発生する磁気回路部が設けられた
請求項１に記載の羽根開閉装置。
【請求項１４】
前記開閉羽根が二つ設けられ互いに離接する方向へ動作され、
前記磁気駆動部と前記駆動体と前記ロック部がそれぞれ前記二つの開閉羽根に対応して対称な状態で二つずつ設けられた
請求項１に記載の羽根開閉装置。
【請求項１５】
内部に光学系を介して取り込まれる光の制御を行う羽根開閉装置と前記光学系を介して取り込まれる光を光電変換する撮像素子とを備え、
前記羽根開閉装置は、
駆動電流が供給されるコイルと前記コイルへの通電に伴って回転されるマグネットとを有する磁気駆動部と、
被ロック部を有し前記磁気駆動部によって動作される駆動体と、
前記駆動体の動作により開口を開閉する開閉羽根と、
前記被ロック部に対する係合により前記開閉羽根のロック状態を設定するロック部とを備え、
前記マグネットの回転位置に応じて前記ロック状態の設定と前記ロック状態の解除が行われる
撮像装置。
【発明の詳細な説明】
【技術分野】
【０００１】
本技術は、開閉羽根を開閉するための磁気駆動部を有し開閉羽根をロック部によってロックする羽根開閉装置及びこれを備えた撮像装置についての技術分野に関する。
【先行技術文献】
【特許文献】
【０００２】
【特許文献１】特開２００５−３０４２２１号公報
【背景技術】
【０００３】
ビデオカメラやスチルカメラ等の各種の撮像装置には、内部にレンズ群や光学素子等を有する光学系と光学系によって取り込まれた光を光電変換する撮像素子とが配置されている。このような撮像装置には、被写体の撮影時に、羽根開閉装置として機能するフォーカルプレーンシャッターを介して撮像素子に光が入射されるものがある。【０００４】
羽根開閉装置には開口が形成されたベース体とベース体に対して移動（走行）される開閉羽根と開閉羽根を動作させる磁気駆動部とが設けられ、磁気駆動部においてマグネットが回転されて開閉羽根が開口を開閉するように移動されるものがある（例えば、特許文献１参照）。【０００５】
このような羽根開閉装置にあっては、各モードにおいて開閉羽根が磁気駆動部によって所定の状態で動作される。磁気駆動部にはマグネットとコイルとヨークが設けられ、コイルへの駆動電流の供給によって回転されるマグネットに伴って開閉羽根が移動される。開閉羽根の開閉（走行）動作が行われていないときには、開閉羽根が開口を開放する開放位置又は開口を閉塞する閉塞位置にあり、開放位置は開閉羽根がベース体の開口から退避した位置に設定されている。【０００６】
被写体の撮影時には、開口を透過された光が撮像素子の撮像面に一方から他方へ順に入射されることにより露光が行われ、入射された光が撮像素子によって順次光電変換されて画像信号が生成され、生成された画像信号がメモリーに転送されて被写体の像が生成される。
【発明の概要】
【発明が解決しようとする課題】
【０００７】
ところで、上記のような羽根開閉装置において、例えば、衝撃や振動等によって開閉羽根に移動力が付与されてしまうと、開閉羽根が意図せず移動されてしまい良好な撮影状態を確保することが困難になってしまう。【０００８】
そこで、羽根開閉装置にあっては、開閉羽根の開閉動作が行われていないときには、開閉羽根が開放位置又は閉塞位置においてロックされて不必要な移動が規制されているものがある。この場合に、羽根開閉装置には、例えば、固定された状態のヨークにマグネットが磁力によって吸引され開閉羽根がロックされるように構成されたものがある。【０００９】
しかしながら、開閉羽根のロック時に、ヨークにマグネットが吸引された状態にされていると、開閉羽根の移動が開始されるときにヨークとマグネットの間の吸引力に打ち勝って開閉羽根を移動させる必要があるため、コイルへの通電量によっては開閉羽根の十分な移動速度を確保することができないおそれがある。また、開閉羽根が開放位置から閉塞位置へ向けて移動が開始されるときの退避した位置から開口までに要する所謂顔出し時間も長くなってしまう。【００１０】
そこで、開閉羽根の移動速度を高め顔出し時間の短縮を図るためには、コイルへの通電量を高める必要があるが、通電量を高めると消費電力の増大を来たしてしまう。【００１１】
一方、開閉羽根を開放位置と閉塞位置において機械的なロック機構によってロックする羽根開閉装置も存在するが、磁気駆動部とは独立したロック機構を構成すると、その分、構造が複雑になると共に小型化を阻害する要因になってしまう。【００１２】
そこで、本技術羽根開閉装置及び撮像装置は、上記した問題点を克服し、消費電力の増大を伴うことなく良好な撮影状態を確保することを目的とする。
【課題を解決するための手段】
【００１３】
第１に、本技術に係る羽根開閉装置は、駆動電流が供給されるコイルと前記コイルへの通電に伴って回転されるマグネットとを有する磁気駆動部と、被ロック部を有し前記磁気駆動部によって動作される駆動体と、前記駆動体の動作により開口を開閉する開閉羽根と、前記被ロック部に対する係合により前記開閉羽根のロック状態を設定するロック部とを備え、前記マグネットの回転位置に応じて前記ロック状態の設定と前記ロック状態の解除が行われるものである。【００１４】
これにより、マグネットの回転位置に応じてロック部が被ロック部に係合されてロック状態の設定とロック状態の解除が行われる。【００１５】
第２に、上記した羽根開閉装置においては、前記ロック部が前記マグネットの回転に伴う磁力の変化に応じて前記ロック状態を設定するロック位置と前記ロック状態を解除する非ロック位置との間で移動されることが望ましい。【００１６】
これにより、磁気駆動部によってロック部と被ロック部が動作されるため、ロック部と被ロック部を動作させるための各別の駆動部を必要としない。【００１７】
第３に、上記した羽根開閉装置においては、前記磁気駆動部に固定ヨークと可動ヨークが設けられ、前記可動ヨークの動作によって前記ロック部が前記ロック位置と前記非ロック位置との間で移動されることが望ましい。【００１８】
これにより、コイルへの通電により可動ヨークと被ロック部を有する駆動体とが動作されるため、可動ヨークと駆動体を動作させるための各別の駆動部を必要としない。【００１９】
第４に、上記した羽根開閉装置においては、前記ロック部として回動可能なロックレバーが設けられ、前記ロックレバーを前記ロック位置から前記非ロック位置まで回動させる回動可能な作用レバーが設けられ、前記ロックレバーの回動軸と前記作用レバーの回動軸とが一致されることが望ましい。【００２０】
これにより、作用レバーとロックレバーが同じ軸を支点として回動される。【００２１】
第５に、上記した羽根開閉装置においては、前記駆動体が回転可能にされ、前記マグネットの回転軸と前記駆動体の回転軸とが一致されることが望ましい。【００２２】
これにより、マグネットと駆動体が同じ回転軸を支点として回転される。【００２３】
第６に、上記した羽根開閉装置においては、前記駆動体が前記マグネットに固定されることが望ましい。【００２４】
これにより、マグネットと駆動体が同じ回転軸を支点として一体になって回転される。【００２５】
第７に、上記した羽根開閉装置においては、前記開閉羽根が前記開口を開放する開放位置と前記開口を閉塞する閉塞位置との間で移動され、前記開放位置と前記閉塞位置においてそれぞれ前記ロック状態が設定されることが望ましい。【００２６】
これにより、ロック部と被ロック部を有する一つの機構によって開閉羽根が開放位置と閉塞位置の２箇所でロックされる。【００２７】
第８に、上記した羽根開閉装置においては、前記被ロック部に前記開放位置において前記ロック部が係合される第１の係合部と前記閉塞位置において前記ロック部が係合される第２の係合部とが形成されることが望ましい。【００２８】
これにより、被ロック部に２箇所でロックするための二つの係合部が形成される。【００２９】
第９に、上記した羽根開閉装置においては、前記駆動体には前記開閉羽根に連結された駆動レバーが設けられ、前記駆動レバーに前記被ロック部が設けられることが望ましい。【００３０】
これにより、駆動レバーが開閉羽根を動作させる機能とロックされる機能の二つの機能を有する。【００３１】
第１０に、上記した羽根開閉装置においては、前記駆動レバーに前記被ロック部として機能する係合片部が設けられ、前記係合片部の両縁がそれぞれ前記第１の係合部と前記第２の係合部として形成されることが望ましい。【００３２】
これにより、ロック部がそれぞれ係合片部の両縁に係合されて２箇所でロックされる。【００３３】
第１１に、上記した羽根開閉装置においては、前記駆動体に対して前記駆動体の動作方向への付勢力を付与する動力補助バネが設けられることが望ましい。【００３４】
これにより、駆動体とマグネットに対して動力補助バネによって所定の回転方向へのトルクが付与される。【００３５】
第１２に、上記した羽根開閉装置においては、前記ロック部を動作させるアクチュエーターが設けられることが望ましい。【００３６】
これにより、ロックレバーがアクチュエーターによって動作されると共に被ロック部を有する駆動体が磁気駆動部によって動作される。【００３７】
第１３に、上記した羽根開閉装置においては、前記コイルへの通電によって前記ロック部に対して付与される駆動力を発生する磁気回路部が設けられることが望ましい。【００３８】
これにより、ロックレバーが磁気回路部によって動作され、被ロック部を有する駆動体が磁気駆動部によって動作されると共に磁気回路部に発生する駆動力磁気駆動部に発生する駆動力とが同一のコイルへの通電により行われる。【００３９】
第１４に、上記した羽根開閉装置においては、前記開閉羽根が二つ設けられ互いに離接する方向へ動作され、前記磁気駆動部と前記駆動体と前記ロック部がそれぞれ前記二つの開閉羽根に対応して対称な状態で二つずつ設けられることが望ましい。【００４０】
これにより、一方の磁気駆動部と一方の駆動体と一方のロックレバーによって一方の開閉羽根の動作が制御され、他方の磁気駆動部と他方の駆動体と他方のロックレバーによって他方の開閉羽根の動作が制御される。【００４１】
本技術に係る撮像装置は、内部に光学系を介して取り込まれる光の制御を行う羽根開閉装置と前記光学系を介して取り込まれる光を光電変換する撮像素子とを備え、前記羽根開閉装置は、駆動電流が供給されるコイルと前記コイルへの通電に伴って回転されるマグネットとを有する磁気駆動部と、被ロック部を有し前記磁気駆動部によって動作される駆動体と、前記駆動体の動作により開口を開閉する開閉羽根と、前記被ロック部に対する係合により前記開閉羽根のロック状態を設定するロック部とを備え、前記マグネットの回転位置に応じて前記ロック状態の設定と前記ロック状態の解除が行われるものである。【００４２】
これにより、羽根開閉装置において、マグネットの回転位置に応じてロック部が被ロック部に係合されてロック状態の設定とロック状態の解除が行われる。
【発明の効果】
【００４３】
本技術によれば、マグネットの回転位置に応じてロック部が被ロック部に係合されてロック状態の設定とロック状態の解除が行われ、マグネットの磁力によって開閉羽根に対するロックが行われないため、消費電力の増大を伴うことなく良好な撮影状態を確保することができる。【００４４】
尚、本明細書に記載された効果はあくまでも例示であって限定されるものではなく、他の効果があってもよい。
【図面の簡単な説明】
【００４５】
【図１】図２乃至図３０と共に本技術羽根開閉装置及び撮像装置の実施の形態を示すものであり、本図は、撮像装置の斜視図である。
【図２】撮像装置を図１とは異なる方向から見た状態で示す斜視図である。
【図３】撮像装置の概略側面図である。
【図４】羽根開閉装置の斜視図である。
【図５】羽根開閉装置の分解斜視図である。
【図６】羽根開閉装置の片側半分を示す分解斜視図である。
【図７】羽根開閉装置の一部を示す拡大分解斜視図である。
【図８】羽根開閉装置の一部を示す拡大斜視図である。
【図９】第１の開閉羽根が開放位置にあり第２の開閉羽根が閉塞位置にある状態を示す概略正面図である。
【図１０】図１１乃至図１３と共に羽根開閉装置の動作を示すものであり、本図は、ロック突部が係合片部の第１の係合部に係合されている状態を示す背面図である。
【図１１】ロックレバーが回動されてロック突部の係合片部との係合が解除された状態を示す背面図である。
【図１２】駆動体が回転されロック突部が係合片部の摺動部に摺動されている状態を示す背面図である。
【図１３】ロック突部が係合片部の第２の係合部に係合された状態を示す背面図である。
【図１４】第１の開閉羽根と第２の開閉羽根が開放位置にある状態を示す正面図である。
【図１５】第１の開閉羽根が閉塞位置にあり第２の開閉羽根が開放位置にある状態を示す正面図である。
【図１６】スリット走行が行われている状態を示す正面図である。
【図１７】第１の開閉羽根と第２の開閉羽根が閉塞位置にある状態を示す正面図である。
【図１８】図１９乃至図２２と共に羽根開閉装置の第１の変形例を示すものであり、本図は、羽根開閉装置の片側半分を示す分解斜視図である。
【図１９】図２０乃至図２２と共に羽根開閉装置の動作を示すものであり、本図は、ロック突部が係合片部の第１の係合部に係合されている状態を示す斜視図である。
【図２０】駆動体が回転されロック突部が係合片部の摺動部に摺動されている状態を示す斜視図である。
【図２１】ロック突部が係合片部の第２の係合部に係合される直前の状態を示す斜視図である。
【図２２】ロック突部が係合片部の第２の係合部に係合された状態を示す斜視図である。
【図２３】図２４乃至図２９と共に羽根開閉装置の第２の変形例を示すものであり、本図は、羽根開閉装置を一部を省略して示す斜視図である。
【図２４】図２５乃至図２９と共に羽根開閉装置の動作を示すものであり、本図は、ロック突部が係合片部の第１の係合部に係合されている状態を示す背面図である。
【図２５】図２４と同じ状態を示す側面図である。
【図２６】ロックレバーが回動されてロック突部の係合片部との係合が解除された状態を示す背面図である。
【図２７】図２６と同じ状態を示す側面図である。
【図２８】ロック突部が係合片部の第２の係合部に係合される直前の状態を示す背面図である。
【図２９】ロック突部が係合片部の第２の係合部に係合された状態を示す背面図である。
【図３０】撮像装置のブロック図である。
【発明を実施するための形態】
【００４６】
以下に、本技術を実施するための形態を添付図面を参照して説明する。
【００４７】
以下に示す実施の形態は、本技術撮像装置をスチルカメラに適用し、本技術羽根開閉装置をこのスチルカメラに設けられたフォーカルプレーンシャッターに適用したものである。
【００４８】
尚、本技術の適用範囲はスチルカメラ及びスチルカメラに設けられたフォーカルプレーンシャッターに限られることはなく、例えば、ビデオカメラや他の機器に組み込まれる各種の撮像装置及びこれらの撮像装置に設けられるアイリス等の各種の羽根開閉装置に広く適用することができる。
【００４９】
以下の説明にあっては、スチルカメラの撮影時において撮影者から見た方向で前後上下左右の方向を示すものとする。従って、被写体側が前方となり、撮影者側が後方となる。
【００５０】
尚、以下に示す前後上下左右の方向は説明の便宜上のものであり、本技術の実施に関しては、これらの方向に限定されることはない。
【００５１】
また、以下に示すレンズ群は、単数又は複数のレンズにより構成されたものの他、これらの単数又は複数のレンズとアイリス等の他の光学素子を含んでもよい。
【００５２】
＜撮像装置の概略構成＞
先ず、撮像装置の概略構成について説明する（図１乃至図３参照）。
【００５３】
撮像装置１は、図１及び図２に示すように、例えば、横長の扁平な筐体２の内外に所要の各部が配置されて成る。撮像装置１は、図１に示すように、交換レンズ２００の着脱が可能な装置であってもよい。
【００５４】
筐体２の前面にはフラッシュ３が設けられている。筐体２の上面にはシャッター釦４、ズームスイッチ５及び電源釦６が設けられている（図１及び図２参照）。筐体２の後面にはディスプレイ７と各種の操作部８、８、・・・とファインダー９が設けられている。
【００５５】
筐体２の内部には、図３に示すように、レンズ群や光学素子等を有する光学系１０と光学系１０によって取り込まれた光の量を制御する羽根開閉装置（フォーカルプレーンシャッター）１１と羽根開閉装置１１を介して取り込まれた光を光電変換する撮像素子１２とが前側から順に配置されている。
【００５６】
＜羽根開閉装置の構成＞
以下に、羽根開閉装置１１の構成について説明する（図４乃至図８参照）。
【００５７】
羽根開閉装置１１は、ベース体１３と押さえ板１４と収容ケース１５と第１の磁気駆動部１６と第２の磁気駆動部１７と押さえカバー１８と第１の開閉羽根１９と第２の開閉羽根２０と第１のリンク２１と第２のリンク２２を有し、撮像素子１２の前面側に配置されている。
【００５８】
ベース体１３は、例えば、矩形状に形成され、前後に貫通された矩形状の開口１３ａを有している（図４及び図５参照）。開口１３ａは撮像素子１２の撮像面における光の有効入射領域より一回り大きくされている。撮像面における光の有効入射領域は、光学系１０によって取り込まれ画像を生成するために必要な光が入射される領域である。
【００５９】
ベース体１３における開口１３ａの左右の部分はそれぞれ第１の開閉羽根１９と第２の開閉羽根２０が開放位置において保持される保持領域となる保持部２３、２３として設けられ、ベース体１３における開口１３ａの下側の部分は収容ケース１５が取り付けられる取付部２４として設けられている。
【００６０】
取付部２４の下端部には軸挿通孔２４ａ、２４ａが左右に離隔して形成されている。取付部２４には軸移動孔２４ｂ、２４ｂが左右に離隔して形成され、軸移動孔２４ｂ、２４ｂはそれぞれ軸挿通孔２４ａ、２４ａを支点とした円弧状に形成されている。
【００６１】
押さえ板１４はベース体１３と略同じ大きさ及び形状に形成され、透過孔１４ａを有している。押さえ板１４は第１の開閉羽根１９と第２の開閉羽根２０を挟んだ状態でベース体１３に後側から取り付けられる。押さえ板１４の後側には撮像素子１２が配置される。押さえ板１４がベース体１３に取り付けられた状態においては、透過孔１４ａが開口１３ａの真後ろに位置される。
【００６２】
押さえ板１４の下端部にはピン取付孔１４ｂ、１４ｂが左右に離隔して形成されている。押さえ板１４には逃げ孔１４ｃ、１４ｃが左右に離隔して形成され、逃げ孔１４ｃ、１４ｃはそれぞれピン取付孔１４ｂ、１４ｂを支点とした円弧状に形成されている。
【００６３】
収容ケース１５は樹脂材料等の非磁性材料によって形成され、後面部２５と上面部２６と下面部２７と仕切部２８を有している。
【００６４】
上面部２６は後端部が後面部２５の上端部に連続され、下面部２７は後端部又は後端寄りの部分が後面部２５の下端部に連続されている。仕切部２８は左右方向を向き後端寄りの部分が後面部２５の左右方向における中央部に連続され、上下両端部がそれぞれ上面部２６と下面部２７に連続されている。
【００６５】
収容ケース１５は仕切部２８によって左右で等分に仕切られており、仕切部２８を基準として左右で対称な形状に形成されている。収容ケース１５の仕切部２８によって仕切られた左右両側の部分はそれぞれ第１の配置部１５ａと第２の配置部１５ｂとして設けられている。
【００６６】
尚、羽根開閉装置１１においては、収容ケース１５が左右で対称な形状に形成され、第１の配置部１５ａと第２の配置部１５ｂに配置される後述する二つの磁気駆動部も左右対称な構成にされているため、以下には、主に、第１の配置部１５ａ側の構成について説明し、第２の配置部１５ｂ側の構成については必要に応じて説明する。
【００６７】
後面部２５は一部が下面部２７の後面と仕切部２８の後面より前側に位置されている。このように後面部２５の一部が下面部２７の後面と仕切部２８の後面より前側に位置されていることにより、収容ケース１５には後方及び上方に開口された配置凹部１５ｃが形成されている。
【００６８】
後面部２５には前後に貫通された挿通孔２５ａが形成され、挿通孔２５ａが第１の配置部１５ａに連通されている。後面部２５には挿通孔２５ａの近傍の位置に第１の取付孔２５ｂと第２の取付孔２５ｃが上下に離隔して形成されている。
【００６９】
下面部２７における配置凹部１５ｃの下側には、向き合う方向を向く第１のバネ支持面２７ａと第２のバネ支持面２７ｂが左右に離隔して形成されている。
【００７０】
仕切部２８は配置凹部１５ｃを形成する面の一部がバネ受け面２８ａとされている。仕切部２８の前端部には上下に貫通された軸挿通孔２８ｂが形成されている。
【００７１】
収容ケース１５はベース体１３の取付部２４に前側から取り付けられる。収容ケース１５が取付部２４に取り付けられた状態においては、収容ケース１５の挿通孔２５ａ、２５ａがそれぞれベース体１３の軸挿通孔２４ａ、２４ａの前側に位置される。
【００７２】
第１の磁気駆動部１６はマグネット２９とコイル３０と固定ヨーク３１と可動ヨーク３２を有し、収容ケース１５の第１の配置部１５ａに配置されている（図５乃至図７参照）。
【００７３】
マグネット２９は軸方向が前後方向にされた円筒状に形成され、例えば、２極着磁にされている。マグネット２９は駆動体３３に固定されている。
【００７４】
駆動体３３はベース部材３４と駆動レバー３５が結合されて構成されている。
【００７５】
ベース部材３４はレバー保持部３６と挿入軸部３７とから成り、レバー保持部３６の中心部から挿入軸部３７が前方に突出されている。
【００７６】
レバー保持部３６は外形がマグネット２９と略同じ径の円形状に形成されている。レバー保持部３６の外周面には第１の作用突部３６ａと第２の作用突部３６ｂが周方向に離隔して設けられている。レバー保持部３６には後方及び側方に開口されたバネ配置凹部３６ｃが形成されている。レバー保持部３６にはバネ配置凹部３６ｃを形成する周方向に離隔した壁面がそれぞれ第１のバネ規制壁３６ｄと第２のバネ規制壁３６ｅとして形成されている。
【００７７】
ベース部材３４には中心部を貫通された軸挿入孔３４ａが形成されている。
【００７８】
駆動レバー３５は円環状に形成された結合板部３８と結合板部３８から放射方向に突出されたアーム板部３９と結合板部３８からアーム板部３９とは異なる放射方向に突出された係合片部４０とが一体に形成されて成る。
【００７９】
結合板部３８はベース部材３４におけるレバー保持部３６の後端部に結合されている。アーム板部３９の先端部には連結軸４１が取り付けられ、連結軸４１がアーム板部３９から後方に突出された状態にされている。係合片部４０は略円弧面状に形成され、周方向における両側の側縁がそれぞれ第１の係合部４０ａと第２の係合部４０ｂとして形成され、第１の係合部４０ａと第２の係合部４０ｂの間の外周縁が摺動部４０ｃとして形成されている。係合片部４０は被ロック部として機能する。
【００８０】
駆動レバー３５は結合板部３８がベース部材３４のレバー保持部３６に取り付けられて保持され、アーム板部３９と係合片部４０がレバー保持部３６の外周から外側に突出される。
【００８１】
駆動体３３はベース部材３４の挿入軸部３７がマグネット２９の中心部に後方から挿入されてマグネット２９に固定されている。駆動体３３がマグネット２９に固定された状態において、マグネット２９が後面部２５の挿通孔２５ａに挿入され収容ケース１５に配置される。駆動体３３はレバー保持部３６が配置凹部１５ｃに配置され、駆動レバー３５のアーム板部３９が収容ケース１５から外側に突出される。
【００８２】
結合板部３８の中心孔３８ａとベース部材３４の軸挿入孔３４ａとマグネット２９の中心孔２９ａには回転軸４２が挿通され、マグネット２９と駆動体３３が回転軸４２を支点として一体になって回転可能とされる。回転軸４２は前端部が収容ケース１５に固定され、後端部がベース体１３の軸挿通孔２４ａと第１のリンク２１又は第２のリンク２２の一端部と押さえ板１４のピン取付孔１４ｂに挿入される。
【００８３】
回転軸４２には動力補助バネ４３が支持されている。動力補助バネ４３は、例えば、捩じりコイルバネであり、コイル部４３ａと第１の腕部４３ｂと第２の腕部４３ｃから成る。動力補助バネ４３はコイル部４３ａが回転軸４２に支持された状態で結合板部３８の前側においてベース部材３４のレバー保持部３６に形成されたバネ配置凹部３６ｃに配置されている。動力補助バネ４３は第１の腕部４３ｂと第２の腕部４３ｃがレバー保持部３６から突出され、それぞれ収容ケース１５の下面部２７に形成された第１のバネ支持面２７ａと第２のバネ支持面２７ｂに係合可能とされている。
【００８４】
駆動レバー３５のアーム板部３９に取り付けられた連結軸４１は、ベース体１３の軸移動孔２４ｂと第１のリンク２１又は第２のリンク２２の一端寄りの部分と押さえ板１４の逃げ孔１４ｃに挿入される。
【００８５】
固定ヨーク３１は後方に開口するコ字状に形成された平板ヨーク部４４と平板ヨーク部４４に連結された連結ヨーク部４５とから成る。
【００８６】
平板ヨーク部４４は左右に延びる基面部４４ａと基面部４４ａの左右両側縁からそれぞれ後方に突出された対向面部４４ｂ、４４ｃとから成る。対向面部４４ｃは対向面部４４ｂより大きさが小さくされ、上端側に切欠４６を有する形状に形成されている。
【００８７】
連結ヨーク部４５はブロック状のマグネット配置部４７とマグネット配置部４７から側方に突出された軸状部４８とから成り、マグネット配置部４７には前後に貫通された配置孔４７ａが形成されている。軸状部４８はコイル３０に挿入されコイル３０が軸状部４８に保持される。連結ヨーク部４５は軸状部４８の先端部とマグネット配置部４７の一端面がそれぞれ対向面部４４ｂ、４４ｃに取り付けられて平板ヨーク部４４に連結される。
【００８８】
固定ヨーク３１はコイル３０を保持した状態において収容ケース１５に取り付けられる。固定ヨーク３１が収容ケース１５に取り付けられた状態においては、連結ヨーク部４５とコイル３０が後面部２５と平板ヨーク部４４の基面部４４ａとの間に位置される。
【００８９】
第２の磁気駆動部１７は収容ケース１５の第２の配置部１５ｂに配置されている。第２の磁気駆動部１７は第１の磁気駆動部１６と同じ構成で左右対称にされているため、第２の磁気駆動部１７の説明は省略する。
【００９０】
このように第１の磁気駆動部１６又は第２の磁気駆動部１７と駆動体３３、３３とロック部として機能するロックレバー５６、５６とがそれぞれ第１の開閉羽根１９と第２の開閉羽根２０に対応して対称な状態で二つずつ設けられている。
【００９１】
従って、第１の磁気駆動部１６と一方の駆動体３３と一方のロックレバー５６によって第１の開閉羽根１９の動作が制御され、第２の磁気駆動部１７と他方の駆動体３３と他方のロックレバー５６によって第２の開閉羽根２０の動作が制御されるため、簡素な構成によってそれぞれ第１の開閉羽根１９と第２の開閉羽根２０を適正に動作させることができる。
【００９２】
可動ヨーク３２はブラケット４９に保持された状態で収容ケース１５に対して回動可能にされている。
【００９３】
ブラケット４９は収容ケース１５の軸挿通孔２８ｂに挿通された支持軸５０を支点として収容ケース１５に対して回動可能にされている。ブラケット４９はヨーク保持部４９ａとヨーク保持部４９ａから突出された被支持軸部４９ｂ、４９ｂとを有し、被支持軸部４９ｂ、４９ｂが支持軸５０に支持されている。支持軸５０には、例えば、捩じりコイルバネである戻しバネ５１が被支持軸部４９ｂ、４９ｂ間に支持されている。
【００９４】
戻しバネ５１によってブラケット４９とブラケット４９に保持された可動ヨーク３２とがマグネット２９に近付く方向へ付勢されている。
【００９５】
可動ヨーク３２はブラケット４９のヨーク保持部４９ａに取り付けられて保持されている。可動ヨーク３２は収容ケース１５に取り付けられた固定ヨーク３１に形成された切欠４６に位置される。従って、可動ヨーク３２はマグネット２９とコイル３０と固定ヨーク３１によって構成された磁気回路において発生する磁束の影響を受ける。可動ヨーク３２は切欠４６に位置された状態において、戻しバネ５１によってマグネット２９に近付く方向へ付勢されている。
【００９６】
収容ケース１５の後面部２５に形成された第１の取付孔２５ｂにはバネ支持軸５２が取り付けられている。バネ支持軸５２には付勢バネ５３が支持されている。付勢バネ５３は、例えば、捩じりコイルバネであり、コイル部５３ａと第１の腕部５３ｂと第２の腕部５３ｃから成る。付勢バネ５３はコイル部５３ａがバネ支持軸５２に支持された状態で第１の腕部５３ｂが駆動体３３におけるレバー保持部３６の外周面に係合可能とされ第２の腕部５３ｃが後述する作用レバーに係合可能とされている。
【００９７】
収容ケース１５の後面部２５に形成された第２の取付孔２５ｃにはレバー支持軸５４が取り付けられている。レバー支持軸５４には作用レバー５５とロックレバー５６がそれぞれ回動自在に支持されている。
【００９８】
作用レバー５５はロックレバー５６の前側に位置され、略上下方向に延びる本体部５５ａと本体部５５ａの一端部から側方に突出された押圧突部５５ｂと本体部５５ａの他端寄りの位置から後方に突出された押さえ突部５５ｃとを有している。作用レバー５５は本体部５５ａの他端部がレバー支持軸５４に支持されている。
【００９９】
作用レバー５５は、押圧突部５５ｂが可動ヨーク３２に対向して位置され、本体部５５ａの先端部に付勢バネ５３の第２の腕部５３ｃが接触可能な状態にされている。
【０１００】
ロックレバー５６は第１の開閉羽根１９と第２の開閉羽根２０を開放位置又は閉塞位置においてロックするロック部として機能する。ロックレバー５６は、略上下方向に延びる延設部５６ａと、延設部５６ａの一端部から後方に突出されたロック突部５６ｂと、延設部５６ａの他端部に連続され延設部５６ａに対して略直交する方向へ屈曲された直交部５６ｃと、直交部５６ｃの先端部から後方に突出されたバネ受け突部５６ｄとを有している。ロックレバー５６は延設部５６ａの他端部がレバー支持軸５４に支持されている。
【０１０１】
ロックレバー５６の延設部５６ａには作用レバー５５の押さえ突部５５ｃが駆動体３３側から係合可能な状態にされている。
【０１０２】
レバー支持軸５４にはロック用バネ５７が支持されている。ロック用バネ５７は、例えば、捩じりコイルバネであり、コイル部５７ａと第１の腕部５７ｂと第２の腕部５７ｃから成る。ロック用バネ５７はコイル部５７ａがレバー支持軸５４に支持された状態で第１の腕部５７ｂがロックレバー５６のバネ受け突部５６ｄに係合され第２の腕部５７ｃが収容ケース１５の仕切部２８に形成されたバネ受け面２８ａに係合されている。
【０１０３】
従って、ロックレバー５６はロック用バネ５７によって延設部５６ａが駆動体３３に近付く方向へ付勢されている。
【０１０４】
上記のように第１の磁気駆動部１６と第２の磁気駆動部１７が収容ケース１５に収容されて配置された状態においては、第１の磁気駆動部１６における固定ヨーク３１の対向面部４４ｂ、４４ｃと第２の磁気駆動部１７における固定ヨーク３１の対向面部４４ｂ、４４ｃとが同じ向きで配置されている。
【０１０５】
従って、第１の磁気駆動部１６の対向面部４４ｂ、４４ｃと第２の磁気駆動部１７の対向面部４４ｂ、４４ｃが厚み方向において並んで配置されるため、羽根開閉装置１１の小型化を図ることができる。
【０１０６】
また、羽根開閉装置１１にあっては、ベース体１３に取り付けられる収容ケース１５が設けられ、収容ケース１５に第１の磁気駆動部１６と第２の磁気駆動部１７が収容されている。
【０１０７】
従って、第１の磁気駆動部１６と第２の磁気駆動部１７を各別に収容する部材を必要とせず部品点数の削減を図ることができると共に第１の磁気駆動部１６と第２の磁気駆動部１７がともに収容ケース１５に収容されるため第１の磁気駆動部１６と第２の磁気駆動部１７を近付けることができ羽根開閉装置１１の一層の小型化を図ることができる。
【０１０８】
上記のように第１の磁気駆動部１６と第２の磁気駆動部１７が収容ケース１５に収容された状態において、収容ケース１５に押さえカバー１８が取り付けられる。押さえカバー１８は後方に開口された横長の形状に形成され、押さえカバー１８によって収容ケース１５と第１の磁気駆動部１６と第２の磁気駆動部１７が覆われる。
【０１０９】
押さえカバー１８の上面部における後端部には切欠部１８ａが形成されている。収容ケース１５に押さえカバー１８が取り付けられた状態において、切欠部１８ａから駆動レバー３５、３５におけるアーム板部３９、３９の各先端部が押さえカバー１８の外方に突出可能な状態にされる（図４参照）。
【０１１０】
第１のリンク２１と第２のリンク２２はそれぞれ第１の開閉羽根１９と第２の開閉羽根２０に連結され、第１の開閉羽根１９と第２の開閉羽根２０はそれぞれ第１のリンク２１と第２のリンク２２を介して駆動体３３、３３の連結軸４１、４１と回転軸４２、４２に連結されている（図５及び図９参照）。第１のリンク２１と第２のリンク２２はともに平行リンクである。
【０１１１】
第１のリンク２１は左右に離隔して位置された第１のアーム５８、５９によって構成され、第１のアーム５８の下端寄りの位置に所定の方向に延びる連結孔５８ａが形成されている。第１のリンク２１は第１のアーム５８の連結孔５８ａに第１の磁気駆動部１６における駆動体３３の連結軸４１が摺動自在に挿入されて駆動体３３に連結されている。第１のアーム５８、５９はそれぞれ下端部がベース体１３の下端部に回動自在に連結されている。尚、第１のアーム５８は下端部にベース体１３の一方の軸挿通孔２４ａを挿通される回転軸４２が挿通され、回転軸４２を支点として回動される。
【０１１２】
第２のリンク２２は左右に離隔して位置された第２のアーム６０、６１によって構成され、第２のアーム６０の下端寄りの位置に所定の方向に延びる連結孔６０ａが形成されている。第２のリンク２２は第２のアーム６０の連結孔６０ａに第２の磁気駆動部１７における駆動体３３の連結軸４１が摺動自在に挿入されて駆動体３３に連結されている。第２のアーム６０、６１はそれぞれ下端部がベース体１３の下端部に回動自在に連結されている。尚、第２のアーム６０は下端部にベース体１３の他方の軸挿通孔２４ａを挿通される回転軸４２が挿通され、回転軸４２を支点として回動される。
【０１１３】
第１の開閉羽根１９は複数のシート状の第１のセクター６２、６２、６２によって構成されている。第１の開閉羽根１９は第１のセクター６２、６２、６２の少なくとも一部同士が厚み方向において重ねて位置され、ベース体１３の開口１３ａを開放する開放位置と開口１３ａを閉塞する閉塞位置との間で移動される。
【０１１４】
第１のセクター６２、６２、６２はそれぞれ下端部における左右両端部が第１のアーム５８、５９の各部に回動可能に連結されている。従って、駆動体３３が回転されると、駆動体３３の回転によって第１のアーム５８、５９が平行な状態を保持したままで移動され、第１のアーム５８、５９の移動に伴って第１のセクター６２、６２、６２が略左右方向へ移動される。このとき第１のセクター６２、６２、６２は略左右方向への移動量が異なり、重なる面積が変化されていく。
【０１１５】
第２の開閉羽根２０は複数のシート状の第２のセクター６３、６３、６３によって構成されている。第２の開閉羽根２０は第２のセクター６３、６３、６３の少なくとも一部同士が厚み方向において重ねて位置され、ベース体１３の開口１３ａを開放する開放位置と開口１３ａを閉塞する閉塞位置との間で移動される。
【０１１６】
第２のセクター６３、６３、６３はそれぞれ下端部における左右両端部が第２のアーム６０、６１の各部に回動可能に連結されている。従って、駆動体３３が回転されると、駆動体３３の回転によって第２のアーム６０、６１が平行な状態を保持したままで移動され、第２のアーム６０、６１の移動に伴って第２のセクター６３、６３、６３が略左右方向へ移動される。このとき第２のセクター６３、６３、６３は略左右方向への移動量が異なり、重なる面積が変化されていく。
【０１１７】
上記のように第１の開閉羽根１９と第２の開閉羽根２０が移動されるときには、第１のセクター６２、６２、６２と第２のセクター６３、６３、６３は移動される位置に応じて重なる面積が変化され、開口１３ａを開放する開放位置において最も面積が小さくされている。
【０１１８】
従って、開口位置において第１の開閉羽根１９と第２の開閉羽根２０の配置スペースが小さくなると共に閉塞位置において第１の開閉羽根１９と第２の開閉羽根２０の面積が最も大きくなるため、第１の開閉羽根１９と第２の開閉羽根２０の移動方向における羽根開閉装置１１の小型化を図ることができると共に十分な大きさの開口１３ａを形成することができる。
【０１１９】
第１の開閉羽根１９と第２の開閉羽根２０の間には図示しない第１のシートが配置され、第１のシートによって第１の開閉羽根１９と第２の開閉羽根２０の接触が防止され第１の開閉羽根１９と第２の開閉羽根２０の動作の円滑化が図られている。
【０１２０】
また、第２の開閉羽根２０と押さえ板１４の間には図示しない第２のシートが配置され、第２のシートによって第２の開閉羽根２０の動作の円滑化が図られている。
【０１２１】
＜羽根開閉装置の動作＞
以下に、羽根開閉装置１１におけるロック動作等について説明する。尚、第１の開閉羽根１９と第２の開閉羽根２０に関するロック動作は同様であるため、以下には、第１の開閉羽根１９に関するロック動作のみについて詳細な説明を行い、第２の開閉羽根２０に関するロック動作については詳細な説明を省略する。
【０１２２】
先ず、第１の開閉羽根１９と第２の開閉羽根２０の初期状態について説明する（図９参照）。
【０１２３】
撮像装置１の電源釦６が操作される前の状態においては、コイル３０、３０に通電が行われておらず、例えば、第１の開閉羽根１９が開放位置に保持され第２の開閉羽根２０が閉塞位置に保持されている。従って、ベース体１３の開口１３ａが第２の開閉羽根２０によって閉塞されている。
【０１２４】
このとき第１の開閉羽根１９は開放位置において、以下のようにしてロックされている（図１０参照）。
【０１２５】
可動ヨーク３２はマグネット２９の磁力によって引き寄せられ、垂直な状態に保持されている。
【０１２６】
付勢バネ５３は、第１の腕部５３ｂが駆動体３３におけるレバー保持部３６の第１の作用突部３６ａに押し当てられて、第２の腕部５３ｃが作用レバー５５における本体部５５ａの先端部に押し当てられている。このとき作用レバー５５は押圧突部５５ｂが可動ヨーク３２に押し当てられている。
【０１２７】
ロック用バネ５７は第１の腕部５７ｂがロックレバー５６のバネ受け突部５６ｄに係合され第２の腕部５７ｃが収容ケース１５の仕切部２８に形成されたバネ受け面２８ａに係合されている。従って、ロックレバー５６はロック用バネ５７によって延設部５６ａが駆動体３３に近付く方向へ付勢されている。
【０１２８】
ロックレバー５６はロック用バネ５７の付勢力によって延設部５６ａがレバー保持部３６に近付く方向へ付勢されてロック位置にあり、ロック突部５６ｂが駆動レバー３５における係合片部４０の第１の係合部４０ａに係合されている。
【０１２９】
このようにロック突部５６ｂが第１の係合部４０ａに係合されていることにより、駆動体３３とマグネット２９の回転が規制され、第１の開閉羽根１９が開放位置においてロックされている。
【０１３０】
このとき動力補助バネ４３は、第１の腕部４３ｂが収容ケース１５の下面部２７に形成された第１のバネ支持面２７ａに係合され、第２の腕部４３ｃがレバー保持部３６の第２のバネ規制壁３６ｅに係合されている。従って、駆動体３３には動力補助バネ４３によって第１の係合部４０ａがロック突部５６ｂに押し付けられる方向への付勢力が付与されている。このとき、第２の腕部４３ｃは収容ケース１５の下面部２７に形成された第２のバネ支持面２７ｂに係合されていない。
【０１３１】
上記のように第１の開閉羽根１９が開放位置にロックされた状態において、コイル３０に通電が行われると、第１の磁気駆動部１６において発生する磁束によりマグネット２９に対して回転力が付与される。このとき駆動体３３には回転される方向への付勢力が動力補助バネ４３によって付与されているため、付与されている付勢力が駆動体３３の回転に対する補助動力として作用される。
【０１３２】
マグネット２９と駆動体３３の一定角度の回転が行われると、動力補助バネ４３は、第１の腕部４３ｂがレバー保持部３６の第１のバネ規制壁３６ｄに接し、第２の腕部４３ｃが第２のバネ規制壁３６ｅに接し、第１の腕部４３ｂと第２の腕部４３ｃが第１のバネ支持面２７ａと第２のバネ支持面２７ｂの何れにも係合されない状態になる。従って、駆動体３３に対して動力補助バネ４３から付勢力が付与されない状態になる。
【０１３３】
コイル３０に通電が行われると、マグネット２９の可動ヨーク３２に対する磁力が低下される。マグネット２９の可動ヨーク３２に対する磁力が低下すると、付勢バネ５３の付勢力がマグネット２９の可動ヨーク３２に対する磁力より相対的に大きくなり、第２の腕部５３ｃによって作用レバー５５の本体部５５ａが押圧されて作用レバー５５がレバー保持部３６から離隔する方向へ回動される（図１１参照）。
【０１３４】
作用レバー５５がレバー保持部３６から離隔する方向へ回動されると、作用レバー５５の押圧突部５５ｂによって可動ヨーク３２が押圧され、可動ヨーク３２が戻しバネ５１の付勢力に反して傾斜される方向へ回動される。同時に、作用レバー５５の押さえ突部５５ｃによってロックレバー５６の延設部５６ａが押圧され、ロックレバー５６がロック位置から非ロック位置に回動され、ロック突部５６ｂが係合片部４０の第１の係合部４０ａから離隔されて係合が解除される。
【０１３５】
このときロック用バネ５７はロックレバー５６の回動に伴って第１の腕部５７ｂがロックレバー５６のバネ受け突部５６ｄによって押圧されて第２の腕部５７ｃに近付く方向へ変位され、付勢力が高められていく。
【０１３６】
上記のように、ロック突部５６ｂの第１の係合部４０ａとの係合が解除されるため、第１の開閉羽根１９に対するロックが解除され、回転力が付与されているマグネット２９が駆動体３３と一体になって回転されていく（図１２参照）。
【０１３７】
マグネット２９が回転されていくと、マグネット２９の回転に応じて磁束の方向が変化され、マグネット２９の可動ヨーク３２に対する磁力が高まっていく。マグネット２９の可動ヨーク３２に対する磁力が高まっていくと、マグネット２９の可動ヨーク３２に対する磁力が付勢バネ５３の付勢力より相対的に大きくなり、可動ヨーク３２がマグネット２９の磁力によって引き寄せられ、垂直な状態に向けて回動される。
【０１３８】
可動ヨーク３２が回動されることにより、作用レバー５５は押圧突部５５ｂが可動ヨーク３２に押圧されてレバー保持部３６に近付く方向へ回動される。付勢バネ５３は作用レバー５５の本体部５５ａによって第２の腕部５３ｃが押圧される。このとき駆動体３３の回転によって第１の腕部５３ｂとレバー保持部３６の第１の作用部３６ａとの係合が解除されており、第１の腕部５３ｂが何れの部分にも接触されず付勢バネ５３は付勢力が発生しない状態にされている。
【０１３９】
作用レバー５５がレバー保持部３６に近付く方向へ回動されることにより、押さえ突部５５ｃがロックレバー５６の延設部５６ａから離隔される。このときロックレバー５６はロック用バネ５７によってロック突部５６ｂがレバー保持部３６に近付く方向へ回動され、ロック突部５６ｂが係合片部４０の摺動部４０ｃに接した状態にされる。従って、ロックレバー５６は駆動レバー３５の回転に伴ってロック突部５６ｂが摺動部４０ｃに摺動される。
【０１４０】
マグネット２９の回転の開始時及び開始直後には、上記したように、動力補助バネ４３の付勢力が駆動体３３に対して補助動力として作用される。従って、マグネット２９の回転の開始時及び開始直後において、動力補助バネ４３の付勢力がマグネット２９の回転トルクを高めるように作用され、第１の開閉羽根１９の動作速度を高めることができる。
【０１４１】
マグネット２９が駆動体３３と一体になってさらに回転されると、付勢バネ５３は駆動体３３の回転によって第１の腕部５３ｂがレバー保持部３６の第２の作用突部３６ｂに係合される（図１３参照）。従って、付勢バネ５３は第１の腕部５３ｂが第２の腕部５３ｃに近付く方向へ変位されて付勢力が高められる。
【０１４２】
ロックレバー５６は駆動体３３の回転によってロック突部５６ｂの摺動部４０ｃとの摺動が解除され、ロック用バネ５７の付勢力によってロック突部５６ｂがレバー保持部３６に近付く方向へ回動され、再び非ロック位置からロック位置に至る。ロックレバー５６が回動されると、ロック突部５６ｂが係合片部４０の第２の係合部４０ｂに係合される。ロック突部５６ｂが第２の係合部４０ｂに係合されたときに、コイル３０への通電が停止されマグネット２９と駆動体３３の回転が停止される。
【０１４３】
このようにロックレバー５６のロック突部５６ｂが第２の係合部４０ｂに係合されることにより、マグネット２９の上記とは逆方向への回転が規制され、このとき第１の開閉羽根１９が閉塞位置まで移動されており、第１の開閉羽根１９が閉塞位置おいてロックされる。
【０１４４】
マグネット２９の上記した一定角度の回転が行われさらに回転されたときには、動力補助バネ４３は、第１の腕部４３ｂが第１のバネ規制壁３６ｄにさらに押圧されて第２の腕部４３ｃにさらに近付く方向へ変位され、第２の腕部４３ｃが第２のバネ支持面２７ｂに係合される。従って、駆動体３３に対して動力補助バネ４３から駆動体３３に対して回転方向と反対方向への付勢力が付与され、動力補助バネ４３の付勢力が駆動体３３とマグネット２９に対して減速する方向への補助動力として作用する。このように動力補助バネ４３の付勢力が駆動体３３とマグネット２９に対して減速する方向への補助動力として作用されるため、第１の開閉羽根１９が閉塞位置まで移動される直前から閉塞位置まで移動される間には、第１の開閉羽根１９が減速される。
【０１４５】
尚、上記には、第１の開閉羽根１９に関するロックの動作について説明したが、第２の開閉羽根２０に関しても上記と同様の動作によって開放位置又は閉塞位置においてロック状態が設定される。
【０１４６】
一方、第１の開閉羽根１９が閉塞位置にある状態において、マグネット２９が逆方向へ回転されて第１の開閉羽根１９が開放位置へ向けて移動されるときには、可動ヨーク３２や作用レバー５５やロックレバー５６が上記と同様に動作され、ロック突部５６ｂの第２の係合部４０ｂとの係合が解除され、次に、ロック突部５６ｂが摺動部４０ｃと摺動され、続いて、ロック突部５６ｂが第１の係合部４０ａに係合される。このとき、マグネット２９の逆方向への回転の開始時及び開始直後には、上記したように、動力補助バネ４３の付勢力が駆動体３３に対して駆動体３３の回転方向と同じ方向へ付与されている。従って、マグネット２９の逆方向への回転の開始時及び開始直後においても、動力補助バネ４３の付勢力がマグネット２９の回転トルクを高めるように作用され、第１の開閉羽根１９の動作速度を高めることができる。
【０１４７】
上記したように、マグネット２９の回転の開始時及び開始直後には、動力補助バネ４３によって駆動体３３にマグネット２９の回転と同じ方向への回転力が付与されており、マグネット２９に対する大きなトルクが付与される。
【０１４８】
このように羽根開閉装置１１にあっては、駆動体３３に対して駆動体３３の動作方向への付勢力を付与する動力補助バネ４３が設けられているため、駆動体３３とマグネット２９に対して動力補助バネ４３によって所定の回転方向へのトルクが付与され、第１の開閉羽根１９と第２の開閉羽根２０の動作速度の向上を図ることができる。
【０１４９】
また、駆動体３３に対して動作方向への付勢力を付与する動力補助バネ４３が設けられているため、動力補助バネ４３の力量（バネ力）に応じてコイル３０に供給する電流量を制御することにより、別に動力補助バネ４３の力量を制御する機構を設ける必要がなく、構造の簡素化を図った上で第１の開閉羽根１９と第２の開閉羽根２０の動作速度を所望の速度に設定することができる。
【０１５０】
上記したように、羽根開閉装置１１にあっては、第１の磁気駆動部１６と第２の磁気駆動部１７に固定ヨーク３１と可動ヨーク３２が設けられ、可動ヨーク３２の動作によってロック部として機能するロックレバー５６がロック位置と非ロック位置の間で移動される。
【０１５１】
従って、コイル３０への通電により可動ヨーク３２と被ロック部として機能する係合片部４０を有する駆動体３３とが動作されるため、可動ヨーク３２と駆動体３３を動作させるための各別の駆動部を必要とせず、構造の簡素化を図った上で第１の開閉羽根１９と第２の開閉羽根２０のロックを行うことができる。
【０１５２】
また、ロック部として回動可能なロックレバー５６が設けられ、ロックレバー５６をロック位置から非ロック位置まで回動させる回動可能な作用レバー５５が設けられ、ロックレバー５６の回動軸と作用レバー５５の回動軸とが一致されている。
【０１５３】
従って、作用レバー５５とロックレバー５６が同じ軸を支点として回動されるため、構造の簡素化及び動作制御の容易化を図ることができる。
【０１５４】
＜開閉羽根の動作例＞
以下に、第１の開閉羽根１９と第２の開閉羽根２０の具体的な動作の一例について説明する。
【０１５５】
撮像装置１の電源釦６が操作されていない状態においては、上記したように、第１の開閉羽根１９が開放位置にある状態にされ、第２の開閉羽根２０が閉塞位置にある状態にされている（図９参照）。
【０１５６】
撮像装置１の電源釦６が操作されると、例えば、撮影者がディスプレイ７やファインダー９によって被写体の視認が可能なライブビューモードに設定される。このとき第２の磁気駆動部１７のコイル３０に駆動電流が供給され、第２の磁気駆動部１７に駆動力が発生し、第２の開閉羽根２０が閉塞位置から開放位置まで移動される（図１４参照）。
【０１５７】
第２の開閉羽根２０が開放位置に移動されることにより、開口１３ａが開放され光学系１０から取り込まれる光が撮像素子１２に入射可能な状態にされ、撮影者においてディスプレイ７やファインダー９によって被写体の視認が可能にされる。
【０１５８】
次に、シャッター釦４が操作され、被写体の撮影が行われるときには、第１の磁気駆動部１６のコイル３０に駆動電流が供給され、第１の磁気駆動部１６に駆動力が発生し、第１の開閉羽根１９が開放位置から閉塞位置まで移動され開口１３ａが閉塞される（図１５参照）。
【０１５９】
第１の開閉羽根１９が閉塞位置に移動されると、第１の磁気駆動部１６のコイル３０に対して逆方向の駆動電流が供給され、第１の開閉羽根１９が閉塞位置から開放位置へ向けて移動されていく。第１の開閉羽根１９が開放位置へ向けて移動されていくときには、第１の開閉羽根１９の開放位置へ向けての移動が開始された直後に第２の磁気駆動部１７のコイル３０に対して逆方向の駆動電流が供給され、第２の開閉羽根２０が開放位置から閉塞位置へ向けて第１の開閉羽根１９を追従するようにして移動されていく。第１の開閉羽根１９に追従するように第２の開閉羽根２０が移動されるときには、第１の開閉羽根１９と第２の開閉羽根２０の間に所定の幅を有するスリット６４が形成された状態とされ（図１６参照）、第１の開閉羽根１９と第２の開閉羽根２０は一定の幅を有するスリット６４が形成される状態で開放位置又は閉塞位置へ向けて移動されていく。
【０１６０】
スリット６４が形成される状態で第１の開閉羽根１９と第２の開閉羽根２０が移動される動作はスリット走行と称される動作であり、スリット走行により撮像素子１２に順次一方の端部から他方の端部まで押さえ板１４の透過孔１４ａ、スリット６４及びベース体１３の開口１３ａを介して光が入射されていき、露光が行われる。
【０１６１】
スリット走行が終了したときには、第１の開閉羽根１９が開放位置に移動され、第２の開閉羽根２０が閉塞位置に移動されて開口１３ａが再び閉塞される（図９参照）。
【０１６２】
続いて、第１の磁気駆動部１６のコイル３０に駆動電流が供給されて第１の開閉羽根１９が閉塞位置に移動され、第１の開閉羽根１９と第２の開閉羽根２０によって開口１３ａが閉塞される（図１７参照）。第１の開閉羽根１９と第２の開閉羽根２０によって開口１３ａが閉塞される状態においては、スリット走行時に撮像素子１２に入射された光が順次光電変換されて画像信号が生成され、生成された画像信号がメモリーに転送されて被写体の像が生成される。
【０１６３】
尚、スリット走行時に撮像素子１２に入射された光が順次光電変換されて画像信号がメモリーに転送される動作は、スリット走行が終了したときの第１の開閉羽根１９が開放位置に移動され第２の開閉羽根２０が閉塞位置に移動されて開口１３ａが閉塞された状態（図９参照）において行われるようにしてもよい。
【０１６４】
＜変形例＞
以下に、羽根開閉装置の第１の変形例と第２の変形例について説明する。尚、以下に示す第１の変形例に係る羽根開閉装置１１Ａは上記した羽根開閉装置１１と比較して可動ヨークとブラケットに代えてアクチュエーターと作用部材が設けられていることが相違し、第２の変形例に係る羽根開閉装置１１Ｂは上記した羽根開閉装置１１と比較して磁気駆動部の一部である可動ヨークが設けられておらず磁気回路部が設けられていることが相違する。従って、以下の各変形例に関しては、羽根開閉装置１１と比較して異なる部分についてのみ詳細に説明をし、その他の部分については羽根開閉装置１１における同様の部分に付した符号と同じ符号を付して説明は省略する。
【０１６５】
＜第１の変形例＞
先ず、第１の変形例に係る羽根開閉装置１１Ａについて説明する（図１８乃至図２２参照）。
【０１６６】
羽根開閉装置１１Ａは、図１８に示すように、ベース体１３と押さえ板１４と収容ケース１５と第１の磁気駆動部１６Ａと第２の磁気駆動部１７Ａと押さえカバー１８と第１の開閉羽根１９と第２の開閉羽根２０と第１のリンク２１と第２のリンク２２を有し、撮像素子１２の前面側に配置されている。
【０１６７】
第１の磁気駆動部１６Ａはマグネット２９とコイル３０と固定ヨーク３１Ａを有し、羽根開閉装置１１に設けられていた可動ヨーク３２は設けられていない。従って、固定ヨーク３１Ａの対向面部４４ｃには切欠４６が形成されておらず、対向面部４４ｂと対向面部４４ｃが同じ大きさに形成されている。
【０１６８】
羽根開閉装置１１Ａにあっては、羽根開閉装置１１において用いられている可動ヨーク３２とブラケット４９に代えて作用部材６５とアクチュエーター６６が設けられている。
【０１６９】
作用部材６５は支持軸５０を支点として収容ケース１５に対して回動可能にされている。作用部材６５は略平板状の平板面部６５ａと平板面部６５ａの一端部から突出された被支持軸部６５ｂ、６５ｂと平板面部６５ａの他端部から突出された押圧部６５ｃと平板面部６５ａの中間部から突出された連結軸部６５ｄとを有し、被支持軸部６５ｂ、６５ｂが支持軸５０に支持されている。支持軸５０には、例えば、捩じりコイルバネである戻しバネ５１が被支持軸部６５ｂ、６５ｂ間に支持されている。
【０１７０】
戻しバネ５１によって作用部材６５がマグネット２９に近付く方向へ付勢されている。
【０１７１】
アクチュエーター６６は作用部材６５の連結軸部６５ｄに連結されている。アクチュエーター６６は、例えば、電磁石であり、磁性体６６ａと電磁コイル６６ｂ、６６ｂと可動部６６ｃを有している。アクチュエーター６６においては電磁コイル６６ｂ、６６ｂに対する通電の有無に応じて可動部６６ｃが磁性体６６ａに対して突出され又は引き込まれて往復動作される。
【０１７２】
羽根開閉装置１１Ａには羽根開閉装置１１において設けられているバネ支持軸５２と付勢バネ５３と作用レバー５５が設けられていない。
【０１７３】
レバー支持軸５４にはロックレバー５６Ａが回動自在に支持されている。ロックレバー５６Ａは第１の開閉羽根１９と第２の開閉羽根２０を開放位置又は閉塞位置においてロックするロック部として機能する。
【０１７４】
ロックレバー５６Ａは、略上下方向に延びる延設部５６ｅと、延設部５６ｅの一端部から後方に突出された被作用部５６ｆと、延設部５６ｅの他端部から後方に突出されたロック突部５６ｇとを有している。ロックレバー５６Ａは延設部５６ｅの略中央部がレバー支持軸５４に支持されている。
【０１７５】
ロック用バネ５７はコイル部５７ａがレバー支持軸５４に支持された状態で第１の腕部５７ｂがロックレバー５６Ａの被作用部５６ｆに係合され第２の腕部５７ｃが収容ケース１５の仕切部２８に形成されたバネ受け面２８ａに係合されている。
【０１７６】
従って、ロックレバー５６Ａはロック用バネ５７によって被作用部５６ｆが作用部材６５の平板面部６５ａに近付く方向へ付勢されロック突部５６ｇが駆動体３３に近付く方向へ付勢されている。
【０１７７】
＜第１の変形例における羽根開閉装置の動作＞
以下に、羽根開閉装置１１Ａにおけるロック動作等について説明する（図１９乃至図２２参照）。尚、第１の開閉羽根１９と第２の開閉羽根２０に関するロック動作は同様であるため、以下には、第１の開閉羽根１９に関するロック動作のみについて詳細な説明を行い、第２の開閉羽根２０に関するロック動作については詳細な説明を省略する。
【０１７８】
初期状態において、第１の開閉羽根１９は、例えば、開放位置に保持され、第２の開閉羽根２０は、例えば、閉塞位置に保持されている。
【０１７９】
このときアクチュエーター６６の電磁コイル６６ｂ、６６ｂには通電が行われておらず、可動部６６ｃが磁性体６６ａに対して引き込まれた位置にある（図１９参照）。従って、作用部材６５は平板面部６５ａが垂直な状態に対して傾斜された状態に保持されている。ロックレバー５６Ａはロック用バネ５７の付勢力によって被作用部５６ｆが作用部材６５に近付く方向へ付勢されロック位置に保持されているため、被作用部５６ｆが押圧部６５ｃに押し付けられ、ロック突部５６ｇが駆動レバー３５における係合片部４０の第１の係合部４０ａに係合されている。
【０１８０】
このようにロック突部５６ｇが第１の係合部４０ａに係合されていることにより、駆動体３３とマグネット２９の回転が規制され、第１の開閉羽根１９が開放位置においてロックされている。
【０１８１】
上記のように第１の開閉羽根１９が開放位置にロックされた状態において、コイル３０に通電が行われると、第１の磁気駆動部１６Ａにおいて発生する磁束によりマグネット２９に対して回転力が付与される。
【０１８２】
このときアクチュエーター６６の電磁コイル６６ｂ、６６ｂに通電が行われる。電磁コイル６６ｂ、６６ｂに通電が行われると、可動部６６ｃが磁性体６６ａに対して突出され、ロックレバー５６Ａの被作用部５６ｆが戻しバネ５１によって付勢されている作用部材６５の押圧部６５ｃによって押圧され、ロックレバー５６Ａがロック用バネ５７の付勢力に反してロック位置から非ロック位置まで回動される。ロックレバー５６Ａが回動されることにより、ロック突部５６ｇが係合片部４０の第１の係合部４０ａから離隔されて係合が解除される。
【０１８３】
このときロック用バネ５７はロックレバー５６Ａの回動に伴って第１の腕部５７ａがロックレバー５６Ａの被作用部５６ｆによって押圧され、付勢力が高められていく。作用部材６５は可動部６６ｃの移動に伴って垂直な状態にされる。
【０１８４】
上記のように、ロック突部５６ｇの第１の係合部４０ａとの係合が解除されるため、第１の開閉羽根１９に対するロックが解除され、回転力が付与されているマグネット２９が駆動体３３と一体になって回転されていく。
【０１８５】
このときロックレバー５６Ａはロック突部５６ｇが係合片部４０の摺動部４０ｃに接した状態又は摺動部４０ｃから僅かに離隔した状態にされ、駆動体３３の回転に伴ってロック突部５６ｇが摺動部４０ｃに沿って相対的に移動される（図２０参照）。
【０１８６】
マグネット２９が駆動体３３と一体になってさらに回転されると、駆動体３３は係合片部４０の第２の係合部４０ｂがロックレバー５６Ａのロック突部５６ｇに対応する位置に至る（図２１参照）。このときアクチュエーター６６の電磁コイル６６ｂ、６６ｂに対する通電が停止され、可動部６６ｃが磁性体６６ａに対して引き込まれる。また、コイル３０に対する通電も停止されてマグネット２９と駆動体３３の回転が停止される。
【０１８７】
可動部６６ｃが磁性体６６ａに対して引き込まれると、ロックレバー５６Ａがロック用バネ５７の付勢力によってロック突部５６ｇがレバー保持部３６に近付く方向へ回動され、再び非ロック位置からロック位置に至る（図２２参照）。ロックレバー５６Ａが回動されると、ロック突部５６ｇが係合片部４０の第２の係合部４０ｂに係合される。
【０１８８】
このようにロックレバー５６Ａのロック突部５６ｇが第２の係合部４０ｂに係合されることにより、マグネット２９の上記とは逆方向への回転が規制され、このとき第１の開閉羽根１９が閉塞位置まで移動されており、第１の開閉羽根１９が閉塞位置おいてロックされる。
【０１８９】
尚、アクチュエーター６６の電磁コイル６６ｂ、６６ｂに対する通電の停止は、駆動体３３の回転に伴ってロック突部５６ｇが摺動部４０ｃに沿って相対的に移動されている途中において行われてもよい。この場合には、ロック用バネ５７によって付勢されているロックレバー５６Ａはロック突部５６ｇが係合片部４０の摺動部４０ｃに摺動された状態で摺動部４０ｃに沿って相対的に移動され、第２の係合部４０ｂがロック突部５６ｇに対応する位置に至ったときにロック用バネ５７の付勢力によってロックレバー５６Ａが回動されてロック突部５６ｇが第２の係合部４０ｂに係合されてロックが行われる。
【０１９０】
また、上記には、第１の開閉羽根１９に関するロックの動作について説明したが、第２の開閉羽根２０に関しても上記と同様の動作によって開放位置又は閉塞位置においてロック状態が設定される。
【０１９１】
一方、第１の開閉羽根１９が閉塞位置にある状態において、マグネット２９が逆方向へ回転されて第１の開閉羽根１９が開放位置へ向けて移動されるときには、アクチュエーター６６の電磁コイル６６ｂ、６６ｂに対する通電の有無に応じて作用部材６５やロックレバー５６Ａが上記と同様に動作され、ロック突部５６ｇの第２の係合部４０ｂとの係合が解除され、次に、ロック突部５６ｇが摺動部４０ｃと摺動可能な状態にされ、続いて、ロック突部５６ｇが第１の係合部４０ａに係合される。
【０１９２】
上記したように、羽根開閉装置１１Ａにあっては、ロック部として機能するロックレバー５６Ａを動作させるアクチュエーター６６が設けられている。
【０１９３】
従って、ロックレバー５６Ａがアクチュエーター６６によって動作されると共に被ロック部として機能する係合片部４０を有する駆動体３３が第１の磁気駆動部１６Ａ又は第２の磁気駆動部１７Ａによって動作されるため、ロック部と被ロック部の動作制御が各別に行われ、動作の信頼性の向上を図ることができる。
【０１９４】
＜第２の変形例＞
次に、第２の変形例に係る羽根開閉装置１１Ｂについて説明する（図２３乃至図２９参照）。
【０１９５】
羽根開閉装置１１Ｂは、ベース体１３と押さえ板１４と収容ケース１５と第１の磁気駆動部１６Ｂと第２の磁気駆動部１７Ｂと押さえカバー１８と第１の開閉羽根１９と第２の開閉羽根２０と第１のリンク２１と第２のリンク２２を有し、撮像素子１２の前面側に配置されている（図２３参照）。
【０１９６】
第１の磁気駆動部１６Ｂはマグネット２９とコイル３０と固定ヨーク３１Ｂを有し、羽根開閉装置１１Ｂに設けられていた可動ヨーク３２は設けられていない。
【０１９７】
固定ヨーク３１Ｂは基部６７と基部６７の両端部から同じ方向に突出された突部６８、６８と突部６８、６８を連結するコイル保持部６９とを有し、基部６７にマグネット２９が挿入された状態で配置されている。基部６７の突部６８、６８が位置する側と反対側の面は対向面６７ａとして形成されている。
【０１９８】
コイル保持部６９にはコイル３０が保持されている。
【０１９９】
収容ケース１５には磁気回路部７０が取り付けられ、磁気回路部７０は固定ヨーク３１Ｂの対向面６７ａに対向して位置されている。磁気回路部７０はヨーク体７１と補助マグネット７２を有している。
【０２００】
ヨーク体７１はヨークベース７１ａとヨークベース７１ａの両端部から同じ方向に突出されたヨーク突部７１ｂ、７１ｂとヨーク突部７１ｂ、７１ｂを挟んでヨークベース７１ａの反対側に位置されたヨーク可動部７１ｃとを有している。ヨーク可動部７１ｃはヨーク突部７１ｂ、７１ｂに対して変位可能にされている。
【０２０１】
補助マグネット７２はヨーク体７１のヨークベース７１ａに埋め込まれた状態で配置されている。
【０２０２】
尚、ヨーク体７１のヨーク突部７１ｂ、７１ｂの少なくとも一方には駆動用コイルが保持されていてもよい。駆動用コイルに通電して力を発生させることにより、発生する力を磁気回路部７０における補助動力として用いることが可能になる。
【０２０３】
マグネット２９は駆動体３３Ｂに固定されている。
【０２０４】
駆動体３３Ｂはベース部材３４と駆動レバー３５Ｂが結合されて構成されている。尚、第２の変形例に係る羽根開閉装置１１Ｂに関しては、一例として、係合片部４０の第１の係合部４０ａと第２の係合部４０ｂの各位置が羽根開閉装置１１及び羽根開閉装置１１Ａとは周方向において逆にされている場合を示すが、羽根開閉装置１１Ｂに関しても、係合片部４０の第１の係合部４０ａと第２の係合部４０ｂの各位置が羽根開閉装置１１及び羽根開閉装置１１Ａと同じ位置関係にされていてもよい。
【０２０５】
駆動レバー３５Ｂは円環状に形成された結合板部３８と結合板部３８から放射方向に突出されたアーム板部３９と結合板部３８から放射方向に突出された係合片部４０と結合板部３８から放射方向に突出された回動用突部７３とを有している。アーム板部３９と係合片部４０と回動用突部７３は結合板部３８から周方向において略等角度の位置からそれぞれ放射方向に突出されている。
【０２０６】
羽根開閉装置１１Ｂにあっては、羽根開閉装置１１において用いられているブラケット４９と作用レバー５５に代えて動作レバー７４が設けられている。また、羽根開閉装置１１Ｂには羽根開閉装置１１において設けられているバネ支持軸５２と付勢バネ５３が設けられていない。
【０２０７】
動作レバー７４は支持軸５０を支点として収容ケース１５に回動自在に支持されている。動作レバー７４は略コ字状の連結面部７４ａと連結面部７４ａの前後両端部からそれぞれ突出された被支持軸部７４ｂ、７４ｂと後側の被支持軸部７４ｂから突出された押さえ突部７４ｃと後側の被支持軸部７４ｂから突出されたアーム突部７４ｄと前側の被支持軸部７４ｂから突出されたバネ掛け突部７４ｅとを有している。動作レバー７４は被支持軸部７４ｂ、７４ｂが支持軸５０に支持されている。
【０２０８】
動作レバー７４の連結面部７４ａには連結軸７５が連結され、連結軸７５によって連結面部７４ａにヨーク体７１のヨーク可動部７１ｃが連結されている。ヨーク可動部７１ｃは連結軸７５に軸方向へ移動可能な状態で連結されている。
【０２０９】
連結軸７５には作用バネ７６が支持されている。作用バネ７６は、例えば、圧縮コイルバネであり、作用バネ７６によってヨーク可動部７１ｃが連結面部７４ａから離隔する方向へ付勢されている。
【０２１０】
支持軸５０には戻しバネ５１が支持され、戻しバネ５１の一端部が動作レバー７４のバネ掛け突部７４ｅに支持されている。動作レバー７４は戻しバネ５１によってアーム突部７４ｄが駆動体３３Ｂに近付く方向へ付勢されている。
【０２１１】
支持軸５０には動作レバー７４の後側においてロックレバー５６Ｂが回動自在に支持されている。ロックレバー５６Ｂは第１の開閉羽根１９と第２の開閉羽根２０を開放位置又は閉塞位置においてロックするロック部として機能する。
【０２１２】
ロックレバー５６Ｂは、略上下方向に延びる延設部５６ｈと、延設部５６ｈの一端部から後方に突出されたロック突部５６ｉと、延設部５６ｈの中間部から後方に突出されたバネ係合部５６ｊとを有している。ロックレバー５６Ｂは延設部５６ｈの他端部が支持軸５０に支持されている。
【０２１３】
支持軸５０にはロック用バネ５７が支持されている。ロック用バネ５７は第１の腕部５７ｂがロックレバー５６Ｂのバネ係合部５６ｊに係合されている。従って、ロックレバー５６Ｂはロック用バネ５７によってロック突部５６ｉが駆動体３３Ｂに近付く方向へ付勢されている。
【０２１４】
＜第２の変形例における羽根開閉装置の動作＞
以下に、羽根開閉装置１１Ｂにおけるロック動作等について説明する。尚、第１の開閉羽根１９と第２の開閉羽根２０に関するロック動作は同様であるため、以下には、第１の開閉羽根１９に関するロック動作のみについて詳細な説明を行い、第２の開閉羽根２０に関するロック動作については詳細な説明を省略する。
【０２１５】
初期状態において、第１の開閉羽根１９は、例えば、開放位置に保持され、第２の開閉羽根２０は、例えば、閉塞位置に保持されている。
【０２１６】
このとき第１の開閉羽根１９は開放位置において、以下のようにしてロックされている（図２４及び図２５参照）。
【０２１７】
ヨーク体７１はヨーク可動部７１ｃが補助マグネット７２の磁力によってヨーク突部７１ｂ、７１ｂに引き寄せられ、ヨーク突部７１ｂ、７１ｂに接した状態に保持されている。
【０２１８】
動作レバー７４は連結面部７４ａが補助マグネット７２の磁力によって戻しバネ５１の付勢力に反してヨーク突部７１ｂ、７１ｂ側に引き寄せられ、アーム突部７４ｄがレバー保持部３６から最も離隔した位置に保持されている。
【０２１９】
ロックレバー５６Ｂはロック用バネ５７の付勢力によってロック突部５６ｉがレバー保持部３６に近付く方向へ付勢されてロック位置にあり、ロック突部５６ｉが駆動レバー３５Ｂにおける係合片部４０の第１の係合部４０ａに係合されている。
【０２２０】
このようにロック突部５６ｉが第１の係合部４０ａに係合されていることにより、駆動体３３Ｂとマグネット２９の回転が規制され、第１の開閉羽根１９が開放位置においてロックされている。
【０２２１】
上記のように第１の開閉羽根１９が開放位置にロックされた状態において、コイル３０に通電が行われると、第１の磁気駆動部１６Ｂにおいて発生する磁束によりマグネット２９に対して回転力が付与される。
【０２２２】
このとき通電により第１の磁気駆動部１６Ｂにおいて発生する磁束が磁気回路部７０に影響を及ぼし、ヨーク体７１の一方のヨーク突部７１ｂに発生する磁束は飽和されて変化しないが、ヨーク体７１の他方のヨーク突部７１ｂに発生する磁束が弱まる。従って、ヨーク体７１のヨーク可動部７１ｃと動作レバー７４の連結面部７４ａに対する磁力が弱まり、動作レバー７４は戻しバネ５１の付勢力によってアーム突部７４ｄがレバー保持部３６に近付き押さえ突部７４ｃがレバー保持部３６から離隔する方向へ回動される（図２６及び図２７参照）。このときヨーク可動部７１ｃはヨーク突部７１ｂ、７１ｂから離隔され、又は、ヨーク突部７１ｂ、７１ｂとの接触状態が弱まる。
【０２２３】
動作レバー７４が回動されると、押さえ突部７４ｃによってロックレバー５６Ｂの延設部５６ｈが押圧され、ロックレバー５６Ａはロック位置から非ロック位置まで回動され、ロック突部５６ｉが係合片部４０の第１の係合部４０ａから離隔されて係合が解除される。
【０２２４】
このときロック用バネ５７はロックレバー５６Ｂの回動に伴って付勢力が高められていく。
【０２２５】
上記のように、ロック突部５６ｉの第１の係合部４０ａとの係合が解除されるため、第１の開閉羽根１９に対するロックが解除され、回転力が付与されているマグネット２９が駆動体３３Ｂと一体になって回転されていく（図２８参照）。
【０２２６】
マグネット２９と駆動体３３Ｂが一体になって回転されていくと、駆動レバー３５Ｂの回動用突部７３によって動作レバー７４のアーム突部７４ｄが押圧され、動作レバー７４が戻しバネ５１の付勢力に反して押さえ突部７４ｃがレバー保持部３６に近付く方向へ回動される。
【０２２７】
このときロックレバー５６Ｂはロック用バネ５７によってロック突部５６ｉがレバー保持部３６に近付く方向へ回動されており、ロック突部５６ｉが係合片部４０の摺動部４０ｃに接した状態にされる。従って、ロックレバー５６Ｂは駆動レバー３５Ｂの回転に伴ってロック突部５６ｉが摺動部４０ｃに摺動される。
【０２２８】
マグネット２９が駆動体３３Ｂと一体になってさらに回転されると、ロックレバー５６Ｂは駆動体３３Ｂの回転によってロック突部５６ｉの摺動部４０ｃとの摺動が解除され、ロック用バネ５７の付勢力によってロック突部５６ｉがレバー保持部３６に近付く方向へ、再び非ロック位置からロック位置まで回動される（図２９参照）。ロックレバー５６Ｂが回動されると、ロック突部５６ｉが係合片部４０の第２の係合部４０ｂに係合される。
ロック突部５６ｉが第２の係合部４０ｂに係合されたときに、コイル３０への通電が停止されマグネット２９と駆動体３３Ｂの回転が停止される。
【０２２９】
このようにロックレバー５６Ｂのロック突部５６ｉが第２の係合部４０ｂに係合されることにより、マグネット２９の上記とは逆方向への回転が規制され、このとき第１の開閉羽根１９が閉塞位置まで移動されており、第１の開閉羽根１９が閉塞位置おいてロックされる。
【０２３０】
尚、上記には、第１の開閉羽根１９に関するロックの動作について説明したが、第２の開閉羽根２０に関しても上記と同様の動作によって開放位置又は閉塞位置においてロック状態が設定される。
【０２３１】
一方、第１の開閉羽根１９が閉塞位置にある状態において、マグネット２９が逆方向へ回転されて第１の開閉羽根１９が開放位置へ向けて移動されるときには、磁気回路部７０やロックレバー５６Ｂや動作レバー７４が上記と同様に動作され、ロック突部５６ｇの第２の係合部４０ｂとの係合が解除され、次に、ロック突部５６ｇが摺動部４０ｃと摺動され、続いて、ロック突部５６ｇが第１の係合部４０ａに係合される。
【０２３２】
上記したように、羽根開閉装置１１Ｂにあっては、コイル３０への通電によってロック部として機能するロックレバー５６Ｂに対して付与される駆動力を発生する磁気回路部７０が設けられている。
【０２３３】
従って、ロックレバー５６Ｂが磁気回路部７０によって動作され、被ロック部として機能する係合片部４０を有する駆動体３３Ｂが第１の磁気駆動部１６Ｂ又は第２の磁気駆動部１７Ｂによって動作されると共に磁気回路部７０に発生する駆動力と第１の磁気駆動部１６Ｂ又は第２の磁気駆動部１７Ｂに発生する駆動力とが同一のコイル３０への通電により行われるため、部品点数を削減した上でロックレバー５６Ｂと駆動体３３Ｂの動作制御が各別に行われ、構造の簡素化を確保した上で動作の信頼性の向上を図ることができる。
【０２３４】
＜撮像装置の一実施形態＞
図３０に、本技術撮像装置の一実施形態によるスチルカメラ（デジタルスチルカメラ）のブロック図を示す。
【０２３５】
撮像装置（デジタルスチルカメラ）１００（撮像装置１）は、撮像機能を担うカメラブロック８０と、撮影された画像信号のアナログ−デジタル変換等の信号処理を行うカメラ信号処理部８１と、画像信号の記録再生処理を行う画像処理部８２とを有している。また、撮像装置１００は、撮影された画像等を表示する表示部８３（ディスプレイ７）と、メモリー９０への画像信号の書込及び読出を行うＲ／Ｗ（リーダ／ライタ）８４と、撮像装置１００の全体を制御するＣＰＵ（Central Processing Unit）８５と、ユーザーによって所要の操作が行われる各種のスイッチ等の入力部８６（シャッター釦４、ズームスイッチ５、電源釦６及び操作部８、８、・・・）と、カメラブロック８０に配置されたレンズの駆動を制御するレンズ駆動制御部８７とを備えている。
【０２３６】
カメラブロック８０は、レンズ群８８を含む光学系（光学系１０）や、ＣＣＤ（Charge Coupled Device）やＣＭＯＳ（Complementary Metal-Oxide Semiconductor）等の撮像素子８９（撮像素子１２）等とによって構成されている。
【０２３７】
カメラ信号処理部８１は、撮像素子８９からの出力信号に対するデジタル信号への変換、ノイズ除去、画質補正、輝度・色差信号への変換等の各種の信号処理を行う。
【０２３８】
画像処理部８２は、所定の画像データーフォーマットに基づく画像信号の圧縮符号化・伸張復号化処理や解像度等のデーター仕様の変換処理等を行う。
【０２３９】
表示部８３はユーザーの入力部８６に対する操作状態や撮影した画像等の各種のデーターを表示する機能を有している。
【０２４０】
Ｒ／Ｗ８４は、画像処理部８２によって符号化された画像データーのメモリー９０への書込及びメモリー９０に記録された画像データーの読出を行う。
【０２４１】
ＣＰＵ８５は、撮像装置１００に設けられた各回路ブロックを制御する制御処理部として機能し、入力部８６からの指示入力信号等に基づいて各回路ブロックを制御する。
【０２４２】
入力部８６はユーザーによる操作に応じた指示入力信号をＣＰＵ８５に対して出力する。
【０２４３】
レンズ駆動制御部８７は、ＣＰＵ８５からの制御信号に基づいてレンズ群８８の各レンズを駆動する図示しないモータ等を制御する。
【０２４４】
メモリー９０は、例えば、Ｒ／Ｗ８４に接続されたスロットに対して着脱可能な半導体メモリーである。
【０２４５】
以下に、撮像装置１００における動作を説明する。
【０２４６】
撮影の待機状態では、ＣＰＵ８５による制御の下で、カメラブロック８０において撮影された画像信号が、カメラ信号処理部８１を介して表示部８３に出力され、カメラスルー画像として表示される。また、入力部８６からのズーミングのための指示入力信号が入力されると、ＣＰＵ８５がレンズ駆動制御部８７に制御信号を出力し、レンズ駆動制御部８７の制御に基づいてレンズ群８８の所定のレンズが移動される。
【０２４７】
入力部８６からの指示入力信号によりカメラブロック８０のシャッター（羽根開閉装置１１）が動作されると、撮影された画像信号がカメラ信号処理部８１から画像処理部８２に出力されて圧縮符号化処理され、所定のデーターフォーマットのデジタルデーターに変換される。変換されたデーターはＲ／Ｗ８４に出力され、メモリー９０に書き込まれる。
【０２４８】
フォーカシングはＣＰＵ８５からの制御信号に基づいてレンズ駆動制御部８７がレンズ群８８の所定のレンズを移動させることにより行われる。
【０２４９】
メモリー９０に記録された画像データーを再生する場合には、入力部８６に対する操作に応じて、Ｒ／Ｗ８４によってメモリー９０から所定の画像データーが読み出され、画像処理部８２によって伸張復号化処理が行われた後に、再生画像信号が表示部８３に出力されて再生画像が表示される。
【０２５０】
＜まとめ＞
以上に記載した通り、羽根開閉装置１１、１１Ａ、１１Ｂにあっては、被ロック部として機能する係合片部４０を有する駆動体３３、３３Ｂと、係合片部４０に対する係合により第１の開閉羽根１９又は第２の開閉羽根２０のロック状態を設定するロック部として機能するロックレバー５６、５６Ａ、５６Ｂとが設けられ、マグネット２９の回転位置に応じてロック状態の設定とロック状態の解除が行われる。
【０２５１】
従って、マグネット２９の回転位置に応じてロック部が被ロック部に係合されてロック状態の設定とロック状態の解除が行われるため、マグネット２９の磁力によって第１の開閉羽根１９又は第２の開閉羽根２０に対するロックが行われず、消費電力の増大を伴うことなく良好な撮影状態を確保することができる。
【０２５２】
また、ロック部として機能するロックレバー５６、５６Ａ、５６Ｂがマグネット２９の回転に伴う磁力の変化に応じてロック状態を設定するロック位置とロック状態を解除する非ロック位置との間で移動される。
【０２５３】
従って、第１の磁気駆動部１６又は第２の磁気駆動部１７によってロック部と被ロック部が動作されるため、ロック部と被ロック部を動作させるための各別の駆動部を必要とせず、構造の簡素化を図った上で第１の開閉羽根１９と第２の開閉羽根２０をロックすることができる。
【０２５４】
さらに、マグネット２９の回転軸と駆動体３３、３３Ｂの回転軸とが一致されているため、マグネット２９と駆動体３３、３３Ｂが同じ回転軸を支点として回転され、構造の簡素化及び省スペース化による小型化を図ることができる。
【０２５５】
さらにまた、駆動体３３、３３Ｂがマグネット２９に固定されているため、マグネット２９と駆動体３３、３３Ｂが同じ回転軸を支点として一体になって回転され、制御の容易化、構造の簡素化及び省スペース化による小型化を図ることができる。
【０２５６】
また、第１の開閉羽根１９と第２の開閉羽根２０がベース体１３の開口１３ａを開放する開放位置と開口１３ａを閉塞する閉塞位置との間で移動され、開放位置と閉塞位置においてそれぞれロック状態が設定される。
【０２５７】
従って、ロック部と被ロック部を有する一つの機構によって第１の開閉羽根１９と第２の開閉羽根２０が開放位置と閉塞位置のそれぞれ２箇所でロックされ、構造の簡素化及び小型化を図ることができる。
【０２５８】
さらに、被ロック部として機能する係合片部４０に、開放位置においてロック部が係合される第１の係合部４０ａと閉塞位置においてロック部が係合される第２の係合部４０ｂとが形成されているため、被ロック部に２箇所でロックするための二つの係合部が形成され、部品点数の削減及び小型化を図ることができる。
【０２５９】
さらにまた、駆動体３３、３３Ｂには第１の開閉羽根１９又は第２の開閉羽根２０に連結された駆動レバー３５、３５Ｂが設けられ、駆動レバー３５、３５Ｂに被ロック部として機能する係合片部４０が設けられている。
【０２６０】
従って、第１の開閉羽根１９又は第２の開閉羽根２０に連結された駆動レバー３５、３５Ｂに第１の係合部４０ａと第２の係合部４０ｂが形成されているため、駆動レバー３５、３５Ｂが第１の開閉羽根１９又は第２の開閉羽根２０を動作させる機能とロックされる機能の二つの機能を有し、部品点数の削減を図ることができる。
【０２６１】
加えて、駆動レバー３５、３５Ｂに被ロック部として機能する係合片部４０が設けられ、係合片部４０の両縁がそれぞれ第１の係合部４０ａと第２の係合部４０ｂとして形成されているため、ロック部がそれぞれ係合片部４０の両縁に係合されて２箇所でロックされ、簡易な構造によって２箇所でロックする構造の簡素化を図ることができる。
【０２６２】
＜その他＞
上記した羽根開閉装置１１、１１Ａ、１１Ｂにおいては、駆動体３３、３３Ｂの回転時にロックレバー５６、５６Ａ、５６Ｂのロック突部５６ｂ、５６ｇ、５６ｉが係合片部４０の摺動部４０ｃに摺動されると、摺動による音（シャッター音）が発生する可能性があり、発生する音が異音になるおそれがある。そこで、この摺動による音の発生を軽減又は防止若しくは音色を変更するために、例えば、駆動体３３、３３Ｂに対するロックレバー５６、５６Ａ、５６Ｂの回動のタイミングを変更したり、ロックレバー５６、５６Ａ、５６Ｂや係合片部４０の材料を変更してもよい。
【０２６３】
＜本技術＞
本技術は、以下のような構成にすることもできる。
【０２６４】
（１）
駆動電流が供給されるコイルと前記コイルへの通電に伴って回転されるマグネットとを有する磁気駆動部と、
被ロック部を有し前記磁気駆動部によって動作される駆動体と、
前記駆動体の動作により開口を開閉する開閉羽根と、
前記被ロック部に対する係合により前記開閉羽根のロック状態を設定するロック部とを備え、
前記マグネットの回転位置に応じて前記ロック状態の設定と前記ロック状態の解除が行われる
羽根開閉装置。
【０２６５】
（２）
前記ロック部が前記マグネットの回転に伴う磁力の変化に応じて前記ロック状態を設定するロック位置と前記ロック状態を解除する非ロック位置との間で移動される
前記（１）に記載の羽根開閉装置。
【０２６６】
（３）
前記磁気駆動部に固定ヨークと可動ヨークが設けられ、
前記可動ヨークの動作によって前記ロック部が前記ロック位置と前記非ロック位置との間で移動される
前記（２）に記載の羽根開閉装置。
【０２６７】
（４）
前記ロック部として回動可能なロックレバーが設けられ、
前記ロックレバーを前記ロック位置から前記非ロック位置まで回動させる回動可能な作用レバーが設けられ、
前記ロックレバーの回動軸と前記作用レバーの回動軸とが一致された
前記（２）又は前記（３）に記載の羽根開閉装置。
【０２６８】
（５）
前記駆動体が回転可能にされ、
前記マグネットの回転軸と前記駆動体の回転軸とが一致された
前記（１）から前記（４）の何れかに記載の羽根開閉装置。
【０２６９】
（６）
前記駆動体が前記マグネットに固定された
前記（５）に記載の羽根開閉装置。
【０２７０】
（７）
前記開閉羽根が前記開口を開放する開放位置と前記開口を閉塞する閉塞位置との間で移動され、
前記開放位置と前記閉塞位置においてそれぞれ前記ロック状態が設定される
前記（１）に記載の羽根開閉装置。
【０２７１】
（８）
前記被ロック部に前記開放位置において前記ロック部が係合される第１の係合部と前記閉塞位置において前記ロック部が係合される第２の係合部とが形成された
前記（７）に記載の羽根開閉装置。
【０２７２】
（９）
前記駆動体には前記開閉羽根に連結された駆動レバーが設けられ、
前記駆動レバーに前記被ロック部が設けられた
前記（８）に記載の羽根開閉装置。
【０２７３】
（１０）
前記駆動レバーに前記被ロック部として機能する係合片部が設けられ、
前記係合片部の両縁がそれぞれ前記第１の係合部と前記第２の係合部として形成された
前記（９）に記載の羽根開閉装置。
【０２７４】
（１１）
前記駆動体に対して前記駆動体の動作方向への付勢力を付与する動力補助バネが設けられた
前記（１）から前記（１０）の何れかに記載の羽根開閉装置。
【０２７５】
（１２）
前記ロック部を動作させるアクチュエーターが設けられた
前記（１）又は前記（２）に記載の羽根開閉装置。
【０２７６】
（１３）
前記コイルへの通電によって前記ロック部に対して付与される駆動力を発生する磁気回路部が設けられた
前記（１）又は前記（２）に記載の羽根開閉装置。
【０２７７】
（１４）
前記開閉羽根が二つ設けられ互いに離接する方向へ動作され、
前記磁気駆動部と前記駆動体と前記ロック部がそれぞれ前記二つの開閉羽根に対応して対称な状態で二つずつ設けられた
前記（１）から前記（１３）の何れかに記載の羽根開閉装置。
【０２７８】
（１５）
内部に光学系を介して取り込まれる光の制御を行う羽根開閉装置と前記光学系を介して取り込まれる光を光電変換する撮像素子とを備え、
前記羽根開閉装置は、
駆動電流が供給されるコイルと前記コイルへの通電に伴って回転されるマグネットとを有する磁気駆動部と、
被ロック部を有し前記磁気駆動部によって動作される駆動体と、
前記駆動体の動作により開口を開閉する開閉羽根と、
前記被ロック部に対する係合により前記開閉羽根のロック状態を設定するロック部とを備え、
前記マグネットの回転位置に応じて前記ロック状態の設定と前記ロック状態の解除が行われる
撮像装置。
【符号の説明】
【０２７９】
１…撮像装置、１０…光学系、１１…羽根開閉装置、１２…撮像素子、１３ａ…開口、１６…第１の磁気駆動部、１７…第２の磁気駆動部、１９…第１の開閉羽根、２０…第２の開閉羽根、２９…マグネット、３０…コイル、３１…固定ヨーク、３２…可動ヨーク、３３…駆動体、３５…駆動レバー、４０…係合片部（被ロック部）、４０ａ…第１の係合部、４０ｂ…第２の係合部、４３…動力補助バネ、５６… ロックレバー（ロック部）、１１Ａ…羽根開閉装置、１６Ａ…第１の磁気駆動部、１７Ａ…第２の磁気駆動部、３１Ａ…固定ヨーク、６６…アクチュエーター、５６Ａ… ロックレバー（ロック部）、１１Ｂ…羽根開閉装置、１６Ｂ…第１の磁気駆動部、１７Ｂ…第２の磁気駆動部、３１Ｂ…固定ヨーク、７０…磁気回路部、３３Ｂ…駆動体、３５Ｂ…駆動レバー、５６Ｂ… ロックレバー（ロック部）、１００…撮像装置、８９…撮像素子
【図１】
2017104265.tif 000003
【図２】
2017104265.tif 000004
【図３】
2017104265.tif 000005
【図４】
2017104265.tif 000006
【図５】
2017104265.tif 000007
【図６】
2017104265.tif 000008
【図７】
2017104265.tif 000009
【図８】
2017104265.tif 000010
【図９】
2017104265.tif 000011
【図１０】
2017104265.tif 000012
【図１１】
2017104265.tif 000013
【図１２】
2017104265.tif 000014
【図１３】
2017104265.tif 000015
【図１４】
2017104265.tif 000016
【図１５】
2017104265.tif 000017
【図１６】
2017104265.tif 000018
【図１７】
2017104265.tif 000019
【図１８】
2017104265.tif 000020
【図１９】
2017104265.tif 000021
【図２０】
2017104265.tif 000022
【図２１】
2017104265.tif 000023
【図２２】
2017104265.tif 000024
【図２３】
2017104265.tif 000025
【図２４】
2017104265.tif 000026
【図２５】
2017104265.tif 000027
【図２６】
2017104265.tif 000028
【図２７】
2017104265.tif 000029
【図２８】
2017104265.tif 000030
【図２９】
2017104265.tif 000031
【図３０】
2017104265.tif 000032
【国際調査報告】
2017104265.tif 000033
2017104265.tif 000034